(57)【特許請求の範囲】
【請求項１】
１枚のプラスチック段ボール板を折り曲げることで、矩形の開口部を有する収納部と、前記開口部の一端から一体的に連設し、前記開口部を閉塞可能な蓋部とを形成し、
前記収納部は、１枚のプラスチック段ボール板の前方側面部に連設する内部側面部と、後方側面部に連設する内部側面部とを略同一平面となるよう折り曲げ、この前方側面部に連設する内部側面部と、後方側面部に連設する内部側面部とを、外から覆うように外部側面部を折り曲げて形成し、
前記収納部の前記開口部のうち、前記蓋部が連設されない３つの開放端を、樹脂製フレームサッシによって固定して補強し、
前記樹脂製フレームサッシは、辺部用補強フレームサッシとコーナー用補強フレームサッシからなり、
前記前方側面部、前記内部側面部及び前記外部側面部には、夫々、係止小孔が形成され、かつ、前記辺部用補強フレームサッシの内側には前記係止小孔に係止される係合爪部が形成されており、前記辺部用補強フレームサッシには係合用穴が形成され、かつ、前記コーナー用補強フレームサッシの内側には前記辺部用補強フレームサッシの係合用穴に係止される係合爪部が形成されており、
前記辺部用補強フレームサッシが、前記開口部の辺部に挿入して取り付けられると、当該辺部用補強フレームサッシは、前方側面部、内側側面部及び外側側面部に形成されている係止小孔に対して係止されて、前記前方側面部と前記内側側面部と外側側面部を強固に固定し、さらに、前記コーナー用補強フレームサッシを、前記前方側面部の開放端縁部の左右の隅に取り付けることにより、該コーナー用補強フレームサッシは前記係合爪部により前記辺部用補強フレームサッシの係合用穴に強固に係止されて、前記前方側面部及び前記後方側面部と前記内部側面部及び前記外部側面部とを強固に連結したことを特徴とする輸送用コンテナ。
【発明の詳細な説明】
【技術分野】
【０００１】
本発明は、精密機器等の搬送の際に用いる輸送コンテナであって、輸送コンテナの保管の際の収納スペースを大きく圧縮し、輸送コンテナそのものの搬送コストの削減と保管場所の確保を可能とする輸送コンテナに関する。
【０００２】
特に、本発明は、一枚の切り抜いたプラスチック段ボールと、嵌め込み式のコーナー及びサッシにより成るプラスチック段ボール製の蓋付き輸送コンテナに関する。
【背景技術】
【０００３】
従来、通箱としてプラスチック段ボール製の輸送コンテナが用いられており、輸送コンテナの保管時における省スペース化を図るため種々の技術が開示されている。
【０００４】
また、特許文献１では、上下に開放する折り畳み可能な胴筒と、胴筒の上方から着脱自在に外嵌する下方開放の箱状の上蓋と、胴筒の下方から着脱自在に内嵌する上方開放の下蓋とからなり、上蓋を下蓋に外嵌させたときには、折りたたんだ胴筒を収納することが可能な組立式梱包体が開示されている。
【０００５】
また、特許文献２では、底板の相対する一方側縁に一体形成され、起立する一対の長側板及び底板の相対する他方側縁に一体形成され、起立する一対の短側板の各端側上部をコーナー部材により直角状にそれぞれ連結して箱型に組立てられる組立て箱が開示されている。
【先行技術文献】
【特許文献】
【０００６】
【特許文献１】特開２００６−３２１５３８号公報
【特許文献２】特開２０１１−１３１９２０号公報
【発明の概要】
【発明が解決しようとする課題】
【０００７】
しかしながら上記特許文献１の構成は、胴筒と上蓋、下蓋が別体となってしまい、コンテナそのものの構造も複雑であり製造に係るコストは大きく、また上蓋や下蓋に一定の高さが必要となるため、箱状の収納形態ではデッドスペースを生じてしまい、より大きな保管スペースが必要となってしまい、保管の際に管理が煩雑となってしまう。
【０００８】
上記特許文献２の構成は、組立て箱上部を覆う蓋を設けようとすると、別体に形成した蓋部材をリベット接合等により接合する必要があり、製造に係るコストは大きくなる。
【０００９】
本発明は、上記課題に鑑みてなされたものであり、蓋付き輸送コンテナでありながら、組み立てが簡単で、保管の際の収納スペースを大きく圧縮し、搬送コストの削減と保管場所の確保を可能とするプラスチック段ボール製の輸送コンテナを提供することをその目的とする。
【課題を解決するための手段】
【００１０】
本発明における蓋付き輸送コンテナは、１枚のプラスチック段ボール板を折り曲げることで、矩形の開口部を有する収納部と、前記開口部の一端から一体的に連設し、前記開口部を閉塞可能な蓋部とを形成し、前記収納部は、１枚のプラスチック段ボール板の前方側面部に連設する内部側面部と、後方側面部に連設する内部側面部とを略同一平面となるよう折り曲げ、この前方側面部に連設する内部側面部と、後方側面部に連設する内部側面部とを、外から覆うように外部側面部を折り曲げて形成し、前記収納部の前記開口部のうち、前記蓋部が連設されない３つの開放端を、樹脂製フレームサッシによって固定して補強し、前記樹脂製フレームサッシは、辺部用補強フレームサッシとコーナー用補強フレームサッシからなり、前記前方側面部、前記内部側面部及び前記外部側面部には、夫々、係止小孔が形成され、かつ、前記辺部用補強フレームサッシの内側には前記係止小孔に係止される係合爪部が形成されており、前記辺部用補強フレームサッシには係合用穴が形成され、かつ、前記コーナー用補強フレームサッシの内側には前記辺部用補強フレームサッシの係合用穴に係止される係合爪部が形成されており、前記辺部用補強フレームサッシが、前記開口部の辺部に挿入して取り付けられると、当該辺部用補強フレームサッシは、前方側面部、内側側面部及び外側側面部に形成されている係止小孔に対して係止されて、前記前方側面部と前記内側側面部と外側側面部を強固に固定し、さらに、前記コーナー用補強フレームサッシを、前記前方側面部の開放端縁部の左右の隅に取り付けることにより、該コーナー用補強フレームサッシは前記係合爪部により前記辺部用補強フレームサッシの係合用穴に強固に係止されて、前記前方側面部及び前記後方側面部と前記内部側面部及び前記外部側面部とを強固に連結したことを特徴とする輸送用コンテナ。
【発明の効果】
【００１３】
本発明によれば、収納部及び蓋部を平板状の１枚のプラスチック段ボールを折り曲げて、矩形の開口部を有する収納部と、前記開口部の一端から一体的に連設し、前記開口部を閉塞可能な蓋部とを形成し、前記収納部の前記開口部のうち、前記蓋部が連設されない３つの開放端縁を、樹脂製フレームサッシを挿入固定して補強することにより、極めて簡単にプラスチック段ボール製の蓋付き輸送コンテナを得ることができる。
また、収納部と蓋部が一体的に形成されることで、各々を別体とするよりも利便性が高い。
【００１４】
また、組み立てられた蓋付き輸送コンテナにおいて、樹脂製の補強フレームサッシを取り外すことで収納部及び蓋部を平板状の１枚のプラスチック段ボール板と補強フレームサッシとに分解することができ、非使用時または通い箱の返送時における輸送コンテナの収納スペースを圧縮することができる。
【図面の簡単な説明】
【００１５】
【図１】本発明の一実施例における、蓋付き輸送コンテナを形成するプラスチック段ボール板を展開した平面図である。
【図２】本発明の一実施例における、一枚のプラスチック段ボール板を組み上げ状態であり、輸送コンテナの開口部から蓋部を開放した状態を示す斜視図である。
【図３】本発明の一実施例における、図２の組み上げられた輸送コンテナの開口部に対して樹脂製フレームサッシを挿入固定した状態を示す斜視図である。
【図４】本発明の一実施例における、蓋付き輸送コンテナの開口部を蓋部により閉塞した状態を示す斜視図である。
【図５】（Ａ）は、本発明の一実施例における、図２の組み上げられた輸送コンテナの開口部に対して挿入固定される樹脂製フレームサッシであり、開口部の辺部に挿入固定される辺部用樹脂製フレームサッシを示す斜視図である。（Ｂ）は、一部破断した斜視図である。
【図６】（Ａ）は、本発明の一実施例における、図２の組み上げられた輸送コンテナの開口部に対して挿入固定される樹脂製フレームサッシであり、開口部のコーナー部に挿入固定されるコーナー用樹脂製フレームサッシ部を示す斜視図である。（Ｂ）は、一部破断した斜視図である。
【発明を実施するための形態】
【００１６】
本発明を実施するための形態を以下に説明する。もちろん、本発明は、その発明の趣旨に反しない範囲で、本実施形態において説明した以外の構成のものに対しても容易に適用可能なことは説明を要するまでもない。
【００１７】
図１に蓋付き輸送コンテナを形成する展開したプラスチック段ボール板の平面図を示す。尚、図１において下を前方とし、上を後方として説明するが、これは組み上げられた蓋付き輸送コンテナの相対的な位置関係と一致するものではない。また、底部という用語も、蓋付き輸送コンテナの相対的な位置関係を示すものではない。
【００１８】
本発明の一つの実施例である蓋付き輸送コンテナ１００は、組み上げられた状態では図４に示すとおりである。この蓋付き輸送コンテナ１００（図４）は、収納部及び蓋部を平板状の１枚のプラスチック段ボール板１（図１）を折り曲げて、矩形の開口部を有する収納部と、前記開口部の一端から一体的に連設し前記開口部を閉塞可能な蓋部とから成る蓋付き輸送コンテナ組み立て体１０を形成し（図２）、前記収納部の前記開口部のうち、前記蓋部が連設されない３つの開放端縁を、樹脂製フレームサッシを挿入固定して補強することによりプラスチック段ボール製の蓋付き輸送コンテナ１００（図３）を得ることができる。
【００１９】
輸送コンテナ１００を形成する１枚のプラスチック段ボール板１は、矩形の底部２を有し、底部２の前方端部には、底部２と一体的に連設する前方側面部３が形成される。同様に底部２の後方端部には、底部２と一体的に連設する後方側面部４が形成される。これらの前方及び後方側面部２，３の両端部からは内部側面部５，５が夫々一体的に形成される。また、底部２の左右端部からは外部側面部６，６が一体的に形成される。この外部側面部６には、蓋付き輸送コンテナ１００を移動・積み替えする際に、手を挿入するための孔状の持手取付孔６ａ，６ａが形成される。内側側面部５，５の夫々にも図１に示すように切欠状の持手取付部５ａ，５ａが形成される。この外部側面部６，６の孔状の持手取付孔６ａ，６ａと、内側側面部５，５の切欠状の持手取付部５ａ，５ａは、１枚のプラスチック段ボール板１が組み上げられることにより、一つの孔状の持手取付孔として形成される（図２）。後方側面部４には、接続部７が一体的に形成されており、接続部７の分だけ前方側面部３よりも少し高くなるよう形成されており、さらに接続部７からは蓋部８が一体的に形成される。蓋部８の左右端部には、１枚のプラスチック段ボール板１が組み上げられた際の収納部Ａ（図２）への不要なアクセスを防止するための防護片９，９が形成され、蓋部８の上側には後述する前方側面部３の取手１３と係合するための係合孔１５ａを有する係合部１５が形成される。
なお、図１の１枚のプラスチック段ボール板１での点線部分は、折り曲げ部を示している。また、蓋部８、接続部７及び防護片９，９との間の折り曲げ部が直交する箇所には孔部８ａが形成される。この孔部８ａを形成することにより、接続部７及び防護片９，９を折り曲げた際にプラスチック段ボール板が圧縮されて形成されることがあるバリを防止することができる。
【００２０】
図２は、図１に示す１枚のプラスチック段ボール板１を折り曲げ、組み上げて形成した蓋付き輸送コンテナ組み立て体１０であり、箱状の収納部Ａを具備する輸送コンテナ組み立て体１０の蓋部８を開放した状態を示す斜視図である。図２からも分かる通り、前方側面部３及び後方側面部４を底部２と直角になるように折り曲げ、さらに、前方側面部３に連設する内部側面部５，５と後方側面部４に連設する内部側面部５，５とを略同一平面となるよう折り曲げ、この前方側面部３に連設すると後方側面部４に連設する内部側面部５とを、外から覆うように外部側面部６，６を折り曲げて収納部Ａを形成する。このとき、前方と後方内側側面部５，５の切欠状の持手取付部５ａ，５ａと外部側面部６の孔状の持手取付孔６ａがほぼ重なり、搬送のための持ち手とすることができる。なお、この孔に図示しない樹脂製の持手を嵌合すれば、内側側面部５，５と外側側面部６とを固定することができると共に、利用者が蓋付き輸送コンテナ１００の底部を水平にした状態で搬送する場合に、持ち易い持手を形成することができる。なお、その作用は後述するが、前方側面部３、内側側面部５，５及び外側側面部６には、夫々、係止小孔３ｂ，５ｂ及び６ｂが形成されている。
【００２１】
輸送コンテナ組み立て体１０の開口部を形成する内部側面部５，５及び外部側面部６，６の開放端縁部及び前方側面部３の開放端縁部には、図３に示すように、開口部の辺部に辺部用補強フレームサッシ１１（図３）を挿入して取り付け、さらに前方側面部３の開放端縁部の左右の隅には、コーナー用補強フレームサッシ１２（図３）を取り付けて、前方側面部３及び後方側面部４と内部側面部５，５及び外部側面部６，６とを強固に連結する。また、前方側面部４には取付け小孔３ａ，３ａが形成されており、詳細は省略するが、帯状の取手１４が取り付けられる。この取手１４により、蓋付きの輸送コンテナ１００を手に提げて移送することができる。
【００２２】
前述した、開口部の辺部に挿入・固定する辺部用補強フレームサッシ１１と、前方側面部３の開放端縁部の左右の隅に挿入・固定するコーナー用補強フレームサッシ１２について説明する。これらの補強フレームサッシは、開口部の辺部に辺部用補強フレームサッシ１１を挿入して取り付け、さらに前方側面部３の開放端縁部の左右の隅にコーナー用補強フレームサッシ１２を取り付ける。このように、辺部用補強フレームサッシ１１及びコーナー用補強フレームサッシ１２を挿入することにより、前方側面部３及び後方側面部４と内部側面部５，５及び外部側面部６，６とを強固に連結される。
【００２３】
そのために、辺部用補強フレームサッシ１１の内側には係止用の係合爪部１１ｃ，１１ｃが形成されている。なお、図５には、破断後の一方の内面にのみに係合爪部１１ｃ，１１ｇが描かれているが、当然のこと、破断した側の内面にも係合爪部１１，１１ｃが形成されている。コーナー用補強フレームサッシ１２は、辺部用補強フレームサッシ１１の両端部に対して挿入し固定されるために、辺部用補強フレームサッシ１１の中央部は両端部に比較して厚めに形成されている。辺部用補強フレームサッシ１１の両端部には係合用穴１１ｄ，１１ｄが形成されている。また、コーナー用補強フレームサッシ１２の内側には係止用の係合爪部１２ｃ，１２ｃが形成されており、辺部用補強フレームサッシ１１の両端部にコーナー用補強フレームサッシ１２が挿入されると、コーナー用補強フレームサッシ１２の係合爪部１２ｃが辺部用補強フレームサッシ１１の係合用穴１１ｄに係合する。なお、図６には、破断後の一方の内面にのみ係合爪部１２ｃ，１２ｃが描かれているが、当然のこと、破断した側の内面にも係合爪部１２ｃ，１２ｃが形成されている。
【００２４】
係合爪部１１ｃ，１１ｃは、１枚のプラスチック段ボール板１を折り曲げ、組み上げて形成した蓋付き輸送コンテナ組み立て体１０が組み立てられ（図２）、辺部用補強フレームサッシ１１が挿入されると（図３）、前方側面部３、内側側面部５，５及び外側側面部６に形成されている係止小孔３ｂ，５ｂ及び６ｂに対して係止され、前方側面部３と内側側面部５，５と外側側面部６を強固に固定するものである。また、コーナー用補強フレームサッシ１２は係合爪部１２ｃ，１２ｃにより辺部用補強フレームサッシ１１の係合用穴１１ｄ，１１ｄに強固に係止され、蓋付き輸送コンテナ１００が組み立てられる。
【００２５】
以上のように形成される蓋付き輸送コンテナ１００の収納部Ａに収納品を収納した後、図４に示すように、蓋部８によって収納部Ａの開口部を閉塞し、蓋部８の係合部１５に形成される係合孔１５ａに前方側面部３の取手１４を挿入し、容易に蓋部８が開放されないようバンド１３で締結し、若しくは図示しない錠前等で施錠する。
【００２６】
以上のように構成される蓋付き輸送コンテナ１００によれば、蓋体と収納部とが一体的に形成されていることから、組み立てが簡単である。また、蓋体と収納部とが別体である場合と比較して保管や数量管理等を容易に行うことができる。また、補強フレームサッシを取り外すだけで１枚のプラスチック段ボール板となることから、非使用時の輸送コンテナの保管の際、省スペース化を図ることができ、輸送コンテナの搬送コストの抑制を実現できる。
【符号の説明】
【００２７】
１  プラスチック段ボール板
１０  蓋付き輸送コンテナ組み立て体
１００  蓋付き輸送コンテナ
Ａ  収納部
２  底部
３  前方側面部
３ａ  取手取付孔
４  後方側面部
５  内部側面部
５ａ  持手取付部
６  外部側面部
６ａ  持手取付孔
７  接続部
８  蓋部
９  防護片
１１  辺部用補強フレームサッシ
１２  コーナー用補強フレームサッシ
１３  バンド
１４  取手
１５  係合部
１５ａ  係合孔
【図１】
0006634203.tif 000002
【図２】
0006634203.tif 000003
【図３】
0006634203.tif 000004
【図４】
0006634203.tif 000005
【図５】
0006634203.tif 000006
【図６】
0006634203.tif 000007